(57)【要約】      （修正有）【課題】シリンダに対して上下動可能に装着した作動部材を備え、作動部材は、ステムに対して相対上下動が可能に装着されたピストンを備え、作動部材の上下動により容器体内の液を汲み上げ吐出するポンプであって、ピストンガイドの嵌合を特殊構成とすることで、簡単に嵌合が外れないポンプを提供する。【解決手段】ステムの下端部にガイド嵌着部４０及びピストン摺動筒４１を一体に垂設し、ガイド嵌着部は、外周部を縦断する凹陥部４２が縦設された柱状形態で、ステムの下端部中央より直接又は吊下げ部を介して垂設される。また、ガイド嵌着部の下端部に、凹凸係合手段を介して嵌着した有底筒状の嵌着基部５５と、該基部より延設して第２逆止弁Ｖ２を形成する第２逆止弁座５６とを備え、嵌着基部上方のガイド嵌着部にステムＥ１内外を連通する連通路４３が形成されるピストンガイドＥ３を設けた。【選択図】図１
2014213905.tif 000002
【特許請求の範囲】
【請求項１】
容器体（１００）内に垂下し、容器体（１００）内より内部へ一方的に連通する第１逆止弁（Ｖ１）を備えたシリンダ（Ｂ）と、シリンダ（Ｂ）に対して上方付勢状態で上下動可能に装着した作動部材（Ｅ）を備え、作動部材（Ｅ）は、上端に吐出ヘッド（Ｅ４）を嵌着して、下端部をシリンダ（Ｂ）内に上方付勢状態で上下動可能に挿入したステム（Ｅ１）と、外周をシリンダ（Ｂ）に摺動可能に嵌合させるとともに、ステム（Ｅ１）に対して相対上下動が可能に装着され、且つ、シリンダ（Ｂ）内からステム（Ｅ１）内へ一方的に流通する第２逆止弁（Ｖ２）を構成する環状のピストン（Ｅ３）とを備え、作動部材の上下動により容器体（１００）内の液を汲み上げ吐出するポンプであって、
ステム（Ｅ１）の下端部にガイド嵌着部（４０）及びピストン摺動筒（４１）を一体に垂設してなり、ガイド嵌着部（４０）は、外周部を縦断する凹陥部（４２）が縦設された柱状形態で、ステム（Ｅ１）の下端部中央より直接又は吊下げ部（４６）を介して垂設されてなり、ピストン摺動筒（４１）は、ステム（Ｅ１）の下端部より、ガイド嵌着部（４０）の外方位置に、垂設されてなり、
ピストン（Ｅ３）を、ピストン摺動筒（４１）内周に上端部を摺動可能に嵌合させ、第２逆止弁（Ｖ２）を構成する内部摺動部（６５）と、シリンダ（Ｂ）内周に摺動可能に嵌合させた外部摺動部（６６）とを、連結部（６７）により連結して構成し、
ガイド嵌着部（４０）の下端部に、凹凸係合手段を介して嵌着した有底筒状の嵌着基部（５５）と、嵌着基部（５５）外周より延設してピストン摺動筒（４１）下方位置に至り、内部摺動部（６５）とで第２逆止弁（Ｖ２）を形成する第２逆止弁座（５６）とを備え、嵌着基部（５５）上方のガイド嵌着部（４０）にステム（Ｅ１）内外を連通する連通路（４３）が形成されるピストンガイド（Ｅ２）を設けたことを特徴とするポンプ。
【請求項２】
ガイド嵌着部（４０）が、中心部より複数の放射板（４０ａ）を延設し、各放射板（４０ａ）間に凹陥部（４２）が縦設された形態をなし、ステム（Ｅ１）の内周下端部に上端部外周面を一体に連結してステム（Ｅ１）の下端部より直接垂設され、各放射板（４０ａ）間に縦設された凹陥部（４２）を連通路（４３）とした請求項１に記載のポンプ。
【請求項３】
ガイド嵌着部（４０）が、中心部より複数の放射板（４０ａ）を延設し、各放射板（４０ａ）間に凹陥部（４２）が縦設された形態をなし、且つ、ステム（Ｅ１）の内周下端部に上端部を一体に連結した吊下げ部（４６）としての支持筒（４７）を介して垂設され、支持筒（４７）に開口した開口部（４９）を連通路（４３）とした請求項１に記載のポンプ。
【請求項４】
ピストン摺動筒（４１）をステム（Ｅ１）の下端部より外向きのフランジ部（４４）を介して垂設し、支持筒（４７）をステム（Ｅ１）の下端部より内向きのフランジ部（４８）を介して垂設し、内向きのフランジ部（４８）から支持筒（４７）下方へ至る上下方向幅広の開口部（４９）を穿設した請求項３に記載のポンプ。
【請求項５】
外向きのフランジ部（４４）を外方へ下るテーパ状に形成するとともに、支持筒（４７）を内方へ下るテーパ状に形成した請求項４に記載のポンプ。
【発明の詳細な説明】
【技術分野】
【０００１】
本発明はポンプに関し、詳しくは、容器体に嵌着したシリンダに対し、上方付勢状態で上下動可能に装着した作動部材を備え、作動部材の上下動により容器体内の液を汲み上げ吐出する所謂縦型のポンプに関する。
【背景技術】
【０００２】
従来のシャンプーやリンス用のポンプは押し圧を低減するための流路を確保するため、第１逆止弁に樹脂弁を採用し、第２逆止弁にボール弁を採用した簡易ポンプ構造になっている。これらは使用を開始すると容器を浴室内の温度変化や容器をスクイズする等の外力が加わった時に、容器内圧が上昇し、ノズルから液が垂れることがあった。この様な不都合を解消する目的で、ピストン可動タイプのポンプが提案されている。（例えば、特許文献１参照）
【０００３】
上記ピストン可動タイプのポンプは、上端に吐出ヘッドを嵌着してシリンダ内に上方付勢状態で上下動可能に装着されたステムに対して、相対上下動が可能に環状のピストンが装着された作動部材を備え、この環状のピストンによりシリンダ内からステム内への一方的に流通する第２逆止弁を構成している。
【０００４】
上記したポンプでは、ステムに嵌着したピストンガイドを備え、このピストンガイドに環状ピストンを相対上下動可能に装着している。ピストンガイドは、ステムの内面に下方から上部を差し込み嵌合させた筒部を備え、筒部の下端外周より弁座を突設している。そして、このピストンガイドの筒部外周に内周縁部を摺動可能に嵌合させた環状のピストンの内周下端部と弁座とで第２逆止弁を構成し、弁座上方の筒部に穿設した開口部を介してシリンダ内とステム内とを連通させる如く構成している。そして、作動部材の押し下げ時に、シリンダ内液圧によりステムに対してピストンが上昇して第２逆止弁を開き、加圧液をステム内に導入し、また、押し下げ下降状態の作動部材が上方付勢力により上昇する際に、シリンダ内の負圧力でステムに対してピストンが相対下降して第２逆止弁が閉じ、一方、容器体内の液がシリンダ下端部に設けた第１逆止弁を開いてシリンダ内に導入される構成となっている。
【先行技術文献】
【特許文献】
【０００５】
【特許文献１】特開平１０−２３５２４２号公報
【発明の概要】
【発明が解決しようとする課題】
【０００６】
従来のこの種のポンプでは、持ち運びの際にノズルを持つことがあり、その結果、内部パーツは引き上げる方向に力が掛かり、嵌合しているパーツが外れる方向に力が掛かり、例えば、ステムとピストンガイドの嵌合が外れる方向に力が掛かる。これら内部パーツの嵌合が外れないまでも、弛んだりすると、シール部のシール性低下を招き、液漏れを起こす可能性がある。また、この種のポンプでは、上記した第２逆止弁構造のため第２逆止弁近傍の流路が制限され、充分な流路の確保が困難であり、そのため作動部材の押し下げが比較的重くなるという傾向がある。
【０００７】
本発明は上記した点に鑑みてなされたもので、ピストンガイドの嵌合を特殊構成とすることで、簡単に嵌合が外れない様に改良したポンプを提案するものである。また、作動部材の押し下げを極力軽く行なえ、液垂れの防止を図れるポンプを提案するものである。
【課題を解決するための手段】
【０００８】
第１の手段として、以下の通り構成した。即ち、容器体１００内に垂下し、容器体１００内より内部へ一方的に連通する第１逆止弁Ｖ１を備えたシリンダＢと、シリンダＢに対して上方付勢状態で上下動可能に装着した作動部材Ｅを備え、作動部材Ｅは、上端に吐出ヘッドＥ４を嵌着して、下端部をシリンダＢ内に上方付勢状態で上下動可能に挿入したステムＥ１と、外周をシリンダＢに摺動可能に嵌合させるとともに、ステムＥ１に対して相対上下動が可能に装着され、且つ、シリンダＢ内からステムＥ１内へ一方的に流通する第２逆止弁Ｖ２を構成する環状のピストンＥ３とを備え、作動部材の上下動により容器体１００内の液を汲み上げ吐出するポンプであって、
ステムＥ１の下端部にガイド嵌着部４０及びピストン摺動筒４１を一体に垂設してなり、ガイド嵌着部４０は、外周部を縦断する凹陥部４２が縦設された柱状形態で、ステムＥ１の下端部中央より直接又は吊下げ部４６を介して垂設されてなり、ピストン摺動筒４１は、ステムＥ１の下端部より、ガイド嵌着部４０の外方位置に、垂設されてなり、
ピストンＥ３を、ピストン摺動筒４１内周に上端部を摺動可能に嵌合させ、第２逆止弁Ｖ２を構成する内部摺動部６５と、シリンダＢ内周に摺動可能に嵌合させた外部摺動部６６とを、連結部６７により連結して構成し、
ガイド嵌着部４０の下端部に、凹凸係合手段を介して嵌着した有底筒状の嵌着基部５５と、嵌着基部５５外周より延設してピストン摺動筒４１下方位置に至り、内部摺動部６５とで第２逆止弁Ｖ２を形成する第２逆止弁座５６とを備え、嵌着基部５５上方のガイド嵌着部４０にステムＥ１内外を連通する連通路４３が形成されるピストンガイドＥ２を設けた。
【０００９】
第２の手段として、以下の通り構成した。即ち、前記第１の手段に於いて、ガイド嵌着部４０が、中心部より複数の放射板４０ａを延設し、各放射板４０ａ間に凹陥部４２が縦設された形態をなし、ステムＥ１の内周下端部に上端部外周面を一体に連結してステムＥ１の下端部より直接垂設され、各放射板４０ａ間に縦設された凹陥部４２を連通路４３とした。
【００１０】
第３の手段として、以下の通り構成した。即ち、前記第１の手段に於いて、ガイド嵌着部４０が、中心部より複数の放射板４０ａを延設し、各放射板４０ａ間に凹陥部４２が縦設された形態をなし、且つ、ステムＥ１の内周下端部に上端部を一体に連結した吊下げ部４６としての支持筒４７を介して垂設され、支持筒４７に開口した開口部４９を連通路４３とした。
【００１１】
第４の手段として、以下の通り構成した。即ち、前記第３の手段に於いて、ピストン摺動筒４１をステムＥ１の下端部より外向きのフランジ部４４を介して垂設し、支持筒４７をステムＥ１の下端部より内向きのフランジ部４８を介して垂設し、内向きのフランジ部４８から支持筒４７下方へ至る上下方向幅広の開口部４９を穿設した。
【００１２】
第５の手段として、以下の通り構成した。即ち、前記第４の手段に於いて、外向きのフランジ部４４を外方へ下るテーパ状に形成するとともに、支持筒４７を内方へ下るテーパ状に形成した。
【発明の効果】
【００１３】
本発明によれば、ピストンガイドＥ２がステムＥ１から弛んだり外れたりすることをより確実に防止でき、シール部分のシール性の低下を引き起こす虞がなく、液漏れを起こす虞がない。また、シリンダＢ内から第２逆止弁Ｖ２を介してステムＥ１内に至る充分広い流路を確保でき、第２逆止弁Ｖ２を介してのステムＥ１内への加圧液の導入を円滑に行なえて、作動部材Ｅの押し下げ操作を軽く行なえ、液体吐出操作をより簡便に行なえるという利点がある。また、ノズル７４からの液垂れを防止できるという特徴がある。また、凹陥部４２の存在でピストンガイドＥ２のガイド嵌着部４０への組み付けが容易となる。
【００１４】
ガイド嵌着部４０が、中心部より複数の放射板４０ａを延設し、各放射板４０ａ間に凹陥部４２が縦設された形態をなし、ステムＥ１の内周下端部に上端部外周面を一体に連結してステムＥ１の下端部より直接垂設され、各放射板４０ａ間に縦設された凹陥部４２を連通路４３とした場合には、同様にピストンガイドＥ２がステムＥ１から弛んだり外れたりすることをより確実に防止でき、シール部分のシール性の低下を引き起こす虞がなく、液漏れを起こす虞がない。また、同様にノズル７４からの液垂れを防止できるという特徴がある
【００１５】
ガイド嵌着部４０が、中心部より複数の放射板４０ａを延設し、各放射板４０ａ間に凹陥部４２が縦設された形態をなし、且つ、ステムＥ１の内周下端部に上端部を一体に連結した吊下げ部４６としての支持筒４７を介して垂設され、支持筒４７に開口した開口部４９を連通路４３とした場合には、同様にピストンガイドＥ２がステムＥ１から弛んだり外れたりすることをより確実に防止でき、シール部分のシール性の低下を引き起こす虞がなく、液漏れを起こす虞がない。また、同様にノズル７４からの液垂れを防止できるという特徴がある。
【００１６】
ピストン摺動筒４１をステムＥ１の下端部より外向きのフランジ部４４を介して垂設し、支持筒４７をステムＥ１の下端部より内向きのフランジ部４８を介して垂設し、内向きのフランジ部４８から支持筒４７下方へ至る上下方向幅広の開口部４９を穿設した場合には、開口部４９の上下方向の開口幅をより大きく採り易く、より小さな力での作動部材Ｅの押し下げを操作を行なえ、液体吐出操作をより簡便に行なえる。
【００１７】
外向きのフランジ部４４を外方へ下るテーパ状に形成するとともに、支持筒４７を内方へ下るテーパ状に形成した場合には、外向きのフランジ部４４下面の傾斜面により、ステムＥ１内への液の導入を行ない易く、また、支持筒４７に形成する開口部４９をより開口面積の広いものが容易に形成でき、軽い作動部材Ｅの押し下げを行なえ、液体吐出操作をより簡便に行なえるという特徴がある。
【図面の簡単な説明】
【００１８】
【図１】ポンプの縦断面図である。（第１実施例）
【図２】図１の二点鎖線Ｕ部分の要部拡大断面図である。（第１実施例）
【図３】作動部材を押し下げ係止した状態のポンプの縦断面図である。（第１実施例）
【図４】図３の二点鎖線Ｖ部分の要部拡大断面図である。（第１実施例）
【図５】図４のＺ−Ｚ線に沿う横断面略図である。（第１実施例）
【図６】ポンプの縦断面図である。（第２実施例）
【図７】図６の二点鎖線Ｗ部分の要部拡大断面図である。（第２実施例）
【図８】作動部材を押し下げ係止した状態のポンプの縦断面図である。（第２実施例）
【図９】図８の二点鎖線Ｘ部分の要部拡大断面図である。（第２実施例）
【図１０】他の実施例の図５対応位置に於ける横断面略図である。（第３実施例）
【図１１】更に他の実施例の図５対応位置に於ける横断面略図である。（第４実施例）
【発明を実施するための形態】
【００１９】
以下、本発明の形態を図面を参照して説明する。
【００２０】
図１乃至図４は本発明のポンプの第１実施例を示す。ポンプ１は、装着キャップＡと、シリンダＢと、補助キャップＣと、逆止弁部材Ｄと、作動部材Ｅと、を備えている。尚、説明の便宜上、図１の左方を前部、右方を後部、手前を右部、奥方を左部として説明する。以下の第２実施例に於ける図６も同様である。
【００２１】
装着キャップＡは、ポンプ１を容器体１００に固定するためのもので、容器体１００の口頸部１０１外周に嵌合させる周壁１０の上端よりフランジ状の頂壁１１を延設している。
【００２２】
シリンダＢは、口頸部１０１上にパッキンｐを介して載置するフランジ２０を周壁部２１の外周上部より突設し、周壁部２１の下端縁より中央を開口した底壁部２２を延設し、底壁部２２の中央開口周縁より筒状の第１逆止弁座２３を立設している。周壁部２１は、下端部の第１周壁部２１ａと、第１周壁部２１ａ上端より段差を介して拡径した第２周壁部２１ｂと、第２周壁部２１ｂ上端より段部を介して更に拡径した第３周壁部２１ｃと、第３周壁部２１ｃ上端より段部を介して更に拡径した第４周壁部２１ｄとで構成しており、第２周壁部２１ｂの上部には外気導入孔２４を穿設している。また、底壁部２２下面中央部よりパイプ嵌合筒２５を一体に垂設し、パイプ嵌合筒２５に吸上用のパイプ２６の上端を嵌着し、その下端を容器体１００内下端部に垂下させている。
【００２３】
補助キャップＣは、シリンダＢの上端部に嵌着したもので、シリンダＢの周壁部２１の外周上端部に、上方への抜け出しを防止して嵌合させた外嵌合筒と、周壁部２１の内周上端部に、回動を防止して嵌合させた内嵌合筒とを頂板で連結した装着基部３０を有し、装着基部３０の頂板内周縁部分より螺筒３１を起立している。そして、装着キャップＡの頂壁１１の内周縁部を、装着基部３０の外嵌合筒下面とシリンダＢのフランジ２０との間に挿入して、装着キャップＡをシリンダＢに対して回動可能に且つ抜け出しを防止して装着している。
【００２４】
逆止弁部材Ｄは、シリンダＢ内下端部には装着している。逆止弁部材Ｄは、シリンダＢの周壁部２１内周下端部に嵌着した嵌合筒３３の上端よりフランジ部３４を延設し、該フランジ部３４を介して台座３５を立設している。嵌合筒３３外面はシリンダＢの周壁部２１内周に突設したアンダーカットに圧接係止されている。また、嵌合筒３３の下端部には、周方向複数の切欠きを設け、この切欠きと連通する隙間を嵌合筒３３の外面と周壁部２１の内面との間に形成している。また、嵌合筒３３の内周より周方向複数の弾性片３７を突設し、各弾性片３７を介して、第１逆止弁座２３上に圧接する第１逆止弁体３８を支持しており、この第１逆止弁体３８と第１逆止弁座２３とで第１逆止弁Ｖ１を形成している。
【００２５】
作動部材Ｅは、シリンダＢに対して上方付勢状態で上下動可能に組み付けしたもので、ステムＥ１と、ピストンガイドＥ２と、ピストンＥ３と、吐出ヘッドＥ４と、外気導入孔開閉部材Ｅ５とを備えている。
【００２６】
ステムＥ１は、上端に吐出ヘッドＥ４を嵌着して、下端部をシリンダＢ内に上方付勢状態で上下動可能に挿入し、下端部に相対上下動が可能に環状のピストンＥ３を装着した筒状をなし、シリンダＢ内の液を吐出ヘッドＥ４内に導入する導管の役割を果たす。
【００２７】
ステムＥ１は、下端部にガイド嵌着部４０及びピストン摺動筒４１を一体に垂設するとともに、ガイド嵌着部４０の下端部に後述するピストンガイドＥ２を嵌着している。
【００２８】
ガイド嵌着部４０は、外周を縦断する凹陥部４２が縦設された柱状形態で、ステムＥ１の下端部中央より直接又は吊下げ部４６を介して垂設される。
【００２９】
第１実施例のガイド嵌着部４０は、ステムＥ１の下端部中央より直接垂設された例を示す。本例に於けるガイド嵌着部４０は、中心部より複数の放射板４０ａを延設し、各放射板４０ａ間に複数の凹陥部４２が縦設された形態をなし、ステムＥ１の内周下端部に上端部外周を一体に連結してステムＥ１の下端部より直接垂設された例を示す。第１実施例では、放射板４０ａが十字状に４枚突設された例を示しているが、放射板４０ａの数は種々選択できる。
【００３０】
また、ピストン摺動筒４１は、ステムＥ１の下端部より、ガイド嵌着部４０の外方位置に、垂設されたもので、第１実施例では、ステムＥ１の下端部より外向きのフランジ部４４を介してピストン摺動筒４１を垂設している。
【００３１】
ピストンガイドＥ２は、ガイド嵌着部４０の下端部に、凹凸係合手段を介して嵌着した有底筒状の嵌着基部５５と、嵌着基部５５外周より延設してピストン摺動筒４１下方位置に至り、後述するピストンＥ３の内部摺動部６５とで第２逆止弁Ｖ２を形成する第２逆止弁座５６とを備え、嵌着基部５５上方のガイド嵌着部４０にステムＥ１内外を連通する連通路４３が形成される。
【００３２】
第１実施例に於けるピストンガイドＥ２は、底壁５５ａ周縁部より周壁５５ｂを起立した嵌着基部５５を備え、ガイド嵌着部４０の各放射板４０ａ外面に周壁５５ｂ内面を嵌着してガイド嵌着部４０の下端部に嵌着している。従って、嵌着基部５５がガイド嵌着部４０の下端部、牽いてはステムＥ１の下端部を覆って嵌着する如く構成している。また、凹凸係合手段として、嵌着基部周壁５５ｂの内面に設けた係合突条５７を、各放射板４０ａの外面に設けた係止突起４５の上面に乗り越え係合させて構成している。そして周壁５５ｂの外周よりピストン摺動筒４１下方位置に至る第２逆止弁座５６を突設している。
【００３３】
第２逆止弁座５６は、嵌着基部周壁５５ｂの外周より一体に突設し、基端部が外方へ下り外周部が水平状をなし、外周縁部に起立壁を立設している。また、第１実施例では、第２逆止弁座５６の下面周縁部より下方に案内筒部５８を一体に垂設し、案内筒部５８の外周に周方向複数の案内突起５９を突設している。上記第２逆止弁座５６下面と逆止弁部材Ｄのフランジ部３４との間にコイルスプリングｓを介在させて、ステムＥ１を、牽いては作動部材Ｅを常時上方に付勢させている。
【００３４】
環状のピストンＥ３は、筒状の内部摺動部６５と、筒状の外部摺動部６６とを、それぞれの対向する上下中間部を連結部６７で連結した断面Ｈ状をなす環状に形成されている。内部摺動部６５は第２逆止弁座５６とで第２逆止弁Ｖ２を構成するもので、ステムＥ１のガイド嵌着部４０及びピストンガイドＥ２の嵌着基部周壁５５ｂとの離間位置を上下動するとともに、上端部をピストン摺動筒４１内周に摺動可能に嵌合させている。また、外部摺動部６６はシリンダＢ内周に摺動可能に嵌合させている。従って、ピストンＥ３は第２逆止弁体を兼用する内部摺動部６５の下端部が第２逆止弁座５６に圧接する位置から、連結部６７の上面がピストン摺動筒４１下面に当接する位置までの間を、ステムＥ１に対して相対上下動が可能に装着されている。
【００３５】
吐出ヘッドＥ４はステムＥ１の内周上端部に下端部を嵌合させた縦筒７０を頂板７１裏面より垂設し、頂板７１の周縁部から外周壁７２を垂設し、外周壁７２内方の頂板７１裏面より内周壁７３を垂下している。また、縦筒７０の上端部に基端を開口したノズル７４を前方へ突設し、その先端に吐出口７５を開口している。また、内周壁７３の内面に螺状を設けており、図３に示す如く、不使用時に作動部材Ｅを押し下げて内周壁７３を補助キャップＣの螺筒３１に螺合可能に構成しており、作動部材Ｅの押し下げ状態での係止を可能に構成している。
【００３６】
外気導入孔開閉部材Ｅ５は、ステムＥ１の外周上部に、ステムＥ１に対して相対上下動が可能に装着している。外気導入孔開閉部材Ｅ５は、ステムＥ１外周に上端部を、外気の導入が可能な程度の隙間をあけて摺動可能に嵌合させた基筒部８０を備えており、ステムＥ１と基筒部８０との隙間からの液の浸入を極力防止できる構造となっている。また、基筒部８０の下端より、外気導入孔２４を開閉する開閉筒部８１を突設している。そして、使用時の作動部材Ｅが最上昇位置にある場合には、或いは液の吐出のために作動部材Ｅを押し下げた際には、図１に示す如く、開閉筒部８１が外気導入孔２４上方位置にあり外気導入孔２４を開放している。尚、図示していないが、液の吐出のための作動部材Ｅの押し下げ位置では、縦筒７０上部の下向き段部７６が基筒部８０の上面を押圧しない。また、図３にある如く、作動部材Ｅの押し下げ係止時には開閉筒部８１が外気導入孔２４を閉塞する如く構成している。
【００３７】
上記ポンプ１は、図１の状態から、吐出ヘッドＥ４を押し下げるとシリンダＢ内の液が加圧され、環状のピストンＥ３がステムＥ１に対して相対的に上昇して第２逆止弁Ｖ２が開き、加圧液が第２逆止弁Ｖ２、開口部４９を介してステムＥ１内に導入され、次いでノズル７４の吐出口７５より外部に吐出される。
【００３８】
吐出ヘッドＥ４の押圧を解除すると、コイルスプリングｓの上方付勢力により作動部材Ｅが上昇し、その際シリンダＢ内の負圧化によりピストンＥ３がステムＥ１に対して相対的に下降して第２逆止弁Ｖ２が閉じ、また、第１逆止弁Ｖ１が開いて容器体１００内の液がパイプ２６を介してシリンダＢ内に導入される。
【００３９】
不使用時には、図３に示す如く、作動部材Ｅを押し下げて吐出ヘッドＥ４の内周壁７３を補助キャップＣの螺筒３１に螺着して、作動部材Ｅの下降状態で係止することができる。この際、外気導入孔開閉部材Ｅ５が押し下げられて、開閉筒部８１が外気導入孔２４を閉塞する。また、逆止弁部材Ｄの台座３５が嵌着基部５５の下面に当接する。
【００４０】
図６乃至図９は第２実施例を示し、第１実施例に於いて、ガイド嵌着部４０の形態を相違したものである。
【００４１】
第２実施例に於けるガイド嵌着部４０は、ステムＥ１の下端部中央より吊下げ部４６を介して垂設された例を示す。本例に於けるガイド嵌着部４０は、中心部より複数の放射板４０ａを延設し、各放射板４０ａ間に凹陥部４２が縦設された形態をなし、且つ、ステムＥ１の内周下端部に上端部を一体に連結した吊下げ部４６としての支持筒４７を介して垂設され、支持筒４７に開口した開口部４９を連通路４３としている。この場合も放射板４０ａが十字状に４枚突設された例を示しているが、放射板４０ａの数は種々選択できる。また、ピストン摺動筒４１も、第１実施例と同様、ステムＥ１の下端部より外向きのフランジ部４４を介してピストン摺動筒４１を垂設している。
【００４２】
第２実施例のガイド嵌着部４０は、ステムＥ１の下端部より外向きのフランジ部４４を介してピストン摺動筒４１を垂設し、また、内向きのフランジ部４８を介して吊下げ部４６としての支持筒４７を垂設し、支持筒４７の下端に上端を連結したガイド嵌着部４０を垂設している。そして、内向きのフランジ部４８から支持筒４７下端部へ至る、連通路４３としての上下方向幅広の開口部４９を穿設している。支持筒４７は、内方へテーパ状に窄まる形態に形成しており、内向きのフランジ部４８から支持筒４７に至る縦長な開口部４９を、対向位置に一対穿設している。尚、上記開口部４９は一対設ける場合に限らず、一箇所であっても三箇所以上であっても良い。また、ピストン摺動筒４１は、ステムＥ１の下端部より外方へ傾斜下降する外向きのフランジ部４４を介して垂設している。また、吊下げ部４６として支持筒４７を採用しているが、これに限らず、例えば、ステムＥ１の下端部より周方向複数垂設した支持脚で吊下げ部４６を構成することも可能である。その場合、各支持脚の間を連通路４３として構成することができる。
【００４３】
第２実施例に於けるピストンガイドＥ２は、底壁５５ａ周縁部より周壁５５ｂを起立した嵌着基部５５を備え、ガイド嵌着部４０の各放射板４０ａ外面に周壁５５ｂ内面を嵌着してガイド嵌着部４０の下端部に嵌着している。また、凹凸係合手段として、嵌着基部周壁５５ｂの内面に設けた係合突条５７を、各放射板４０ａの外面に設けた係止突起４５の上面に乗り越え係合させて構成している。そして、周壁５５ｂの外周よりピストン摺動筒４１下方位置に至る第２逆止弁座５６を突設している。  その他の構成及び作用は第１実施例と同様であるため、同符号を付して説明を省略する。
【００４４】
尚、本発明に於けるガイド嵌着部４０は、外周部を縦断する凹陥部４２が縦設された柱状形態であれば、上記各実施例に記載された放射板４０ａで構成されたものに限らず、種々採用でき、例えば、図１０に横断面で示す如く、複数の側板４０ｂで形成された中空三角柱形態のものであっても良く、或いは、図示しないが中空多角形柱形態のものであっても良く、その外方に凹陥部４２が形成される。また、図１１に横断面図で示す如く、２枚板壁４０ｂで形成され、外周に三箇所の凹陥部４２が形成された横断面Ｖ字形成のものであっても良く、種々の形態が採用できる。図１０、図１１の例は第１実施例、第２実施例に採用できる。換言すれば、主として板壁の組み合わせで、周囲に凹陥部を縦断した柱状形態である、板組合せ体が好ましく採用できる。
【００４５】
また、本発明に於いて、凹凸係合手段とは、上記各実施例にある如く、係止突起と、該係止突起に乗り越え係合する係合突条との組み合わせ構成の他、凹溝と該凹溝に嵌着する突部との組み合わせ構成、或いは突起と該突起に乗り越え係合する突起との組み合わせ構成等の種々の形態を採用することができる。
【符号の説明】
【００４６】
１：ポンプ
Ａ：装着キャップ
１０…周壁、１１…頂壁
Ｂ：シリンダ
２０…フランジ、２１…周壁部、２１ａ…第１周壁部、２１ｂ…第２周壁部、
２１ｃ…第３周壁部、２１ｄ…第４周壁部、２２…底壁部、２３…第１逆止弁座
２４…外気導入孔、２５…パイプ嵌合筒、２６…吸上用のパイプ
Ｃ：補助キャップ
３０…装着基部、３１…螺筒
Ｄ：逆止弁部材
３３…嵌合筒、３４…フランジ部、３５…台座、３７…弾性片、
３８…第１逆止弁体
Ｅ：作動部材
Ｅ１：ステム
４０…ガイド嵌着部、４０ａ…放射板、４０ｂ…側板、４０ｃ…板壁、
４１…ピストン摺動筒、４２…凹陥部、４３…連通路、４４…外向きのフランジ部、
４５…係止突起、４６…吊下げ部、４７…支持筒、４８…内向きのフランジ部、
４９…開口部
Ｅ２：ピストンガイド
５５…嵌着基部、５５ａ…底壁、５５ｂ…周壁、５６…第２逆止弁座、５７…係合突条、５８…案内筒部、５９…案内突起
Ｅ３：ピストン
６５…内部摺動部、６６…外部摺動部、６７…連結部
Ｅ４：吐出ヘッド
７０…縦筒、７１…頂板、７２…外周壁、７３…内周壁、７４…ノズル、７５…吐出口、７６…下向き段部
Ｅ５：外気導入孔開閉部材
８０…基筒部、８１…開閉筒部
Ｖ１：第１逆止弁
Ｖ２：第２逆止弁
ｐ：パッキン
ｓ：コイルスプリング
１００：容器体
１０１…口頸部
【図１】
2014213905.tif 000003
【図２】
2014213905.tif 000004
【図３】
2014213905.tif 000005
【図４】
2014213905.tif 000006
【図５】
2014213905.tif 000007
【図６】
2014213905.tif 000008
【図７】
2014213905.tif 000009
【図８】
2014213905.tif 000010
【図９】
2014213905.tif 000011
【図１０】
2014213905.tif 000012
【図１１】
2014213905.tif 000013